(57)【要約】【課題】  受信信号から再生した搬送波を用いて受信信号を直交検波する直交検波回路において、直交検波の際に用いる搬送波と受信信号とを正規の位相に設定して、受信信号の直交検波を高精度に実行できるようにする。【解決手段】  受信信号から所定放送チャンネルのテレビ放送信号を選局することにより得られる映像ＩＦ信号を直交検波し、直交検波後のＱ信号から妨害波信号成分を生成して、この信号成分を直交検波後のＩ信号から除去することにより、妨害波信号成分のない映像信号を生成するオフセットビートキャンセラにおいて、映像ＩＦ信号の直交検波に用いる直交検波部３２を、映像ＩＦ信号から再生した映像搬送波を用いて映像ＩＦ信号を直交検波し、しかも、その映像搬送波の位相を、直交検波後のＱ信号の電圧（平均電圧）が略零となるように位相調整部８０でフィードバック制御するように構成する。【選択図】  図４
2004304756.tif 000002
【特許請求の範囲】
【請求項１】
受信信号に含まれる搬送波を再生する搬送波再生部と、
該搬送波再生部にて再生された搬送波と前記受信信号とを同相で混合することによりＩ信号を生成する第１検波部と、
前記搬送波再生部にて再生された搬送波と前記受信信号とを各信号の位相を９０度ずらして混合することによりＱ信号を生成する第２検波部と、
を備えた直交検波回路であって、
前記第２検波部にて生成されたＱ信号の電圧が略零となるように前記搬送波再生部にて再生された搬送波の位相を調整する位相調整部を設け、
該位相調整部にて位相調整された搬送波を前記第１検波部及び第２検波部に入力するよう構成してなることを特徴とする直交検波回路。
【請求項２】
前記第２検波部は、前記受信信号を９０度移相させる移相器と、該移相器を通過した受信信号と前記位相調整部にて位相調整された搬送波とを混合するミキサとを備え、
前記第１検波部は、前記搬送波と混合する受信信号の位相が、前記第２検波部の移相器を通過した受信信号に対して全周波数領域で９０度ずれるように、前記受信信号を前記移相器の動作特性に応じて遅延させる遅延線と、該遅延線を通過した受信信号と前記位相調整部にて位相調整された搬送波とを混合するミキサとを備えたこと、
を特徴とする請求項１記載の直交検波回路。
【請求項３】
受信アンテナから入力される受信信号の中から、希望波に対して送信周波数が所定周波数オフセットされた妨害波を含む所定放送チャンネルのテレビ放送信号を選局して、該テレビ放送信号の映像中間周波数信号及び音声中間周波信号を出力する選局手段と、
該選局手段から出力される映像中間周波信号を直交検波することにより、該映像中間周波信号に含まれる妨害波信号成分を生成し、該生成した妨害波信号成分を除去した映像信号若しくは映像中間周波信号を生成する映像信号処理手段と、
該映像信号処理手段にて生成された映像信号若しくは映像中間周波信号と、前記選局復調手段から出力される音声中間周波信号とに基づき、所定放送チャンネルのテレビ放送信号を生成するテレビ放送信号生成手段と、
を備え、該生成されたテレビ放送信号を受信信号として出力するオフセットビートキャンセラであって、
前記映像信号処理手段は、前記映像中間周波信号を直交検波するのに用いる直交検波回路として、請求項１又は請求項２に記載の直交検波回路を備えたことを特徴とするオフセットビートキャンセラ。
【請求項４】
前記映像信号処理手段は、前記直交検波回路を用いて前記映像中間周波信号を直交検波することによりＩ信号とＱ信号とを生成し、該生成したＱ信号をＡ／Ｄ変換してデジタル処理することにより前記Ｉ信号に含まれる妨害波信号成分を生成し、該生成した妨害波信号成分を前記Ｉ信号から除去することにより、前記妨害波信号成分を除去した映像信号を生成することを特徴とする請求項３に記載のオフセットビートキャンセラ。
【発明の詳細な説明】
【技術分野】
【０００１】
本発明は、受信信号から再生した搬送波を用いて受信信号を直交検波する直交検波回路、及び、この直交検波回路を用いたオフセットビートキャンセラに関する。
【背景技術】
【０００２】
従来より、近接する地域で同一の放送チャンネルを利用したテレビ放送を行う際には、各テレビ放送信号の送信周波数に±１０．０１ｋＨｚのオフセットを設けて、テレビ受像器で映像信号を再生した際に画面に現れる縞模様（ビート）を目立たなくするようにしている。しかし、妨害波の量が多ければビートも顕著に現れることになるし、聴視者からはよりよい画質の要求がある。
【０００３】
そこで、近年では、こうしたビート障害を防止するために、ビート障害が発生する放送チャンネルのテレビ放送信号を所定周波数帯に周波数変換した映像中間周波信号（以下、映像ＩＦ信号ともいう）から、希望波の映像搬送波を再生し、この映像搬送波を用いて映像ＩＦ信号を直交検波することにより、妨害波信号成分を含むＱ信号を生成し、更に、アナログフィルタを用いて、その生成したＱ信号から妨害波信号成分を生成して、この妨害波信号成分を映像ＩＦ信号から除去するオフセットビートキャンセラが提案されている（例えば、特許文献１、特許文献２参照）。
【特許文献１】特開平８−９８０６１号公報
【特許文献２】特開平９−５５６７１号公報
【発明の開示】
【発明が解決しようとする課題】
【０００４】
ところで、上記提案のオフセットビートキャンセラにおいては、受信したテレビ放送信号を選局することにより得られる映像中間周波信号から妨害波信号成分を生成するために、映像中間周波信号から映像搬送波を再生し、その再生した映像搬送波を用いて映像中間周波信号を直交検波するが、この直交検波に用いる映像搬送波と映像中間周波信号との位相がずれていると、直交検波により得られるＱ信号が本来のものとは異なる信号となってしまい、Ｑ信号から妨害波信号成分を正確に生成することができなくなってしまう、という問題があった。
【０００５】
本発明は、こうした問題に鑑みなされたものであり、上述したオフセットビートキャンセラ等で用いられ、受信信号から再生した搬送波を用いて受信信号を直交検波する直交検波回路において、直交検波の際に用いる搬送波と受信信号とを正規の位相に設定して、受信信号の直交検波を高精度に実行できるようにすることを目的とする。
【課題を解決するための手段】
【０００６】
かかる目的を達成するためになされた請求項１記載の発明は、受信信号に含まれる搬送波を再生する搬送波再生部と、該搬送波再生部にて再生された搬送波と前記受信信号とを同相で混合することによりＩ信号を生成する第１検波部と、前記搬送波再生部にて再生された搬送波と前記受信信号とを各信号の位相を９０度ずらして混合することによりＱ信号を生成する第２検波部とを備えた直交検波回路であって、前記第２検波部にて生成されたＱ信号の電圧（詳しくはその平均電圧）が略零となるように前記搬送波再生部にて再生された搬送波の位相を調整する位相調整部を設け、該位相調整部にて位相調整された搬送波を前記第１検波部及び第２検波部に入力するよう構成してなることを特徴とする。
【０００７】
つまり、本発明の直交検波回路においては、第２検波部に生成されたＱ信号をフィードバックして、その平均電圧が略零となるように、受信信号から再生した搬送波の位相を調整することによって、Ｑ信号は真の妨害波信号成分のみからなる正弦波となり、直交検波に用いる搬送波と受信信号との位相が同相或いは９０度の位相差となるように、直交検波に用いる搬送波の位相を調整するのである。
【０００８】
この結果、本発明の直交検波回路によれば、受信信号の直交検波を常に高精度に実行できるようになり、例えば、当該直交検波回路を構成する回路素子の特性が、経年変化や温度変化等によって変化したとしても、その特性変化の影響を受けることなく高精度な直交検波を実行できる。
【０００９】
ところで、本発明の直交検波回路において、受信信号を直交検波する際には、第１検波部では搬送波と受信信号とを混合し、第２検波部では搬送波の位相を９０度移相（遅延）させた信号と受信信号とを混合するようにしてもよく、或いは、第１検波部では搬送波と受信信号とを混合し、第２検波部では受信信号の位相を９０度移相（遅延）させたものと搬送波とを混合するようにしてもよい。
【００１０】
そして、後者のように、第２検波部において、受信信号の位相を９０度移相（遅延）させたものと搬送波とを混合することによって、Ｑ信号を生成するようにする場合には、第１検波部にて搬送波と混合する受信信号の位相が、第２検波部にて搬送波と混合される受信信号に対して全周波数領域で９０度ずれるようにする必要があり、このためには、直交検波回路を、請求項２に記載のように構成することが望ましい。
【００１１】
すなわち、請求項２に記載の直交検波回路は、請求項１に記載の直交検波回路において、第２検波部は、受信信号を９０度移相させる移相器と、この移相器を通過した受信信号と位相調整部にて位相調整された搬送波とを混合するミキサとを備え、第１検波部は、搬送波と混合する受信信号の位相が、第２検波部の移相器を通過した受信信号に対して全周波数領域で９０度ずれるように、受信信号を移相器の動作特性に応じて遅延させる遅延線と、この遅延線を通過した受信信号と位相調整部にて位相調整された搬送波とを混合するミキサとを備えたことを特徴とする。
【００１２】
従って、請求項２に記載の直交検波回路によれば、第２検波部の移相器にて、受信信号の位相を全周波数領域で正確に９０度移相（遅延）させることができなかったとしても、各検波部でミキサに入力される受信信号の位相差を、全周波数領域で９０度の位相差にすることができるようになり、各検波部では、Ｉ信号及びＱ信号をそれぞれ正確に生成することが可能になる。
【００１３】
次に、請求項３に記載の発明は、受信アンテナから入力される受信信号の中から、希望波に対して送信周波数が所定周波数オフセットされた妨害波を含む所定放送チャンネルのテレビ放送信号を選局して、該テレビ放送信号の映像中間周波数信号及び音声中間周波信号を出力する選局手段と、該選局手段から出力される映像中間周波信号を直交検波することにより、該映像中間周波信号に含まれる妨害波信号成分を生成し、該生成した妨害波信号成分を除去した映像信号若しくは映像中間周波信号を生成する映像信号処理手段と、該映像信号処理手段にて生成された映像信号若しくは映像中間周波信号と、前記選局復調手段から出力される音声中間周波信号とに基づき、所定放送チャンネルのテレビ放送信号を生成するテレビ放送信号生成手段とを備え、該生成されたテレビ放送信号を受信信号として出力するオフセットビートキャンセラであって、前記映像信号処理手段は、前記映像中間周波信号を直交検波するのに用いる直交検波回路として、請求項１又は請求項２に記載の直交検波回路を備えたことを特徴とする。
【００１４】
このように、本発明のオフセットビートキャンセラにおいては、映像信号処理手段にて映像中間周波信号を直交検波する際に、請求項１又は請求項２に記載の直交検波回路を用いるようにされているので、直交検波の際に用いる映像搬送波と映像中間周波信号とを同相或いは９０度の位相差に正確に設定して、映像中間周波信号の直交検波を高精度に実行することができる。
【００１５】
従って、映像信号処理手段では、直交検波によって得られたＱ信号から映像中間周波信号に含まれる妨害波信号成分を正確に生成して、映像中間周波信号若しくはベースバンドの映像信号から、その妨害波信号成分を正確に除去することが可能となる。
【００１６】
ここで、請求項３に記載のオフセットビートキャンセラにおいて、映像信号処理手段としては、従来技術の項で説明した従来のオフセットビートキャンセラと同様に、上述した直交検波回路を用いて映像中間周波信号を直交検波することにより妨害波信号成分を含むＱ信号を生成し、その生成したＱ信号からアナログフィルタを用いて妨害波信号成分を生成し、この生成した妨害波信号成分を映像中間周波信号から除去するように構成してもよい。
【００１７】
しかし、従来のように、直交検波によって得られたＱ信号から妨害波信号成分を生成するのにアナログフィルタを用いるようにすると、アナログフィルタのフィルタ特性を安定化させるために、オフセットビートキャンセラを、温度変化の小さい環境下で使用しなければならないという問題がある。
【００１８】
そこで、請求項３に記載のオフセットビートキャンセラを温度変化の大きい環境下で使用できるようにするには、映像信号処理手段を、請求項４に記載のように構成するとよい。
【００１９】
即ち、請求項４に記載のオフセットビートキャンセラにおいて、映像信号処理手段は、前記直交検波回路を用いて前記映像中間周波信号を直交検波することによりＩ信号とＱ信号とを生成し、該生成したＱ信号をＡ／Ｄ変換してデジタル処理することにより前記Ｉ信号に含まれる妨害波信号成分を生成し、該生成した妨害波信号成分を前記Ｉ信号から除去することにより、前記妨害波信号成分を除去した映像信号を生成するように構成されている。
【００２０】
従って、この請求項４に記載のオフセットビートキャンセラによれば、映像信号処理手段において、映像中間周波信号を直交検波することにより得られたＱ信号をデジタル処理することにより妨害波信号成分を生成することから、妨害波信号成分を周囲温度の影響を受けることなく安定して生成することができるようになり、例えば、ホーム共同受信等を行うために温度変化の大きい環境下に設置しても、受信したテレビ放送信号から妨害波信号成分を良好に除去することができるようになる。
【発明を実施するための最良の形態】
【００２１】
以下に本発明の実施形態を図面と共に説明する。
図１は本発明が適用された第１実施例のテレビ放送受信システム全体の構成を表わす概略構成図である。なお、本実施例のテレビ放送受信システムは日本国内用のものであり、以下に説明するＶＨＦ帯及びＵＨＦ帯のテレビ放送は、帯域幅が６ＭＨｚのＮＴＳＣ方式で行われるものとする。
【００２２】
図１に示す如く、本実施例のテレビ放送受信システムは、屋外に設置したアンテナからの受信信号を伝送線を介して建造物内の各部屋に伝送する共同受信システムであり、テレビ放送受信用の受信アンテナとして、地上局から送信されたＶＨＦ帯及びＵＨＦ帯の放送電波をそれぞれ受信するＶＨＦアンテナ２及びＵＨＦアンテナ４と、放送衛星（ＢＳ）や通信衛星（ＣＳ）からの送信電波を受信するＢＳ／ＣＳアンテナ６とを備える。
【００２３】
なお、ＢＳ／ＣＳアンテナ６は、反射鏡６ａと、支持腕を介して反射鏡６ａの焦点位置に配置された受信部６ｂとからなり、受信部６ｂに内蔵されたコンバータによって、受信信号をＢＳ／ＣＳ−ＩＦ信号に周波数変換（ダウンコンバート）して出力する。
【００２４】
そして、これら各受信アンテナ２〜６からの受信信号（ＶＨＦ受信信号、ＵＨＦ受信信号、ＢＳ／ＣＳ−ＩＦ信号）は、それぞれ、同軸ケーブルからなる伝送線を介して、ブースタ（増幅器）８まで伝送され、このブースタ８にて所定レベルまで増幅される。また、ブースタ８にて増幅された各受信信号（ＶＨＦ受信信号、ＵＨＦ受信信号、ＢＳ／ＣＳ−ＩＦ信号）は、ブースタ８内で混合されて、後段のオフセットビートキャンセラ２０に入力され、このオフセットビートキャンセラ２０から端末側の伝送線上に出力される。
【００２５】
また、端末側の伝送線には、分配器１０が接続されており、オフセットビートキャンセラ２０から出力された受信信号は、分配器１０にて複数系統（図では４系統）に分配され、更に、その分配された各系統の伝送線上に直列に接続された複数の直列ユニット１２を介して、各直列ユニット１２が設置された各部屋の受信端末まで伝送される。
【００２６】
次に、このオフセットビートキャンセラ２０の構成を図２を用いて詳しく説明する。
図２に示すように、オフセットビートキャンセラ２０は、ブースタ８から出力された受信信号を伝送線（同軸ケーブル）を介して入力するための入力端子Ｔｉｎと、受信信号を出力するための出力端子Ｔｏｕｔとを備える。
【００２７】
そして、入力端子Ｔｉｎに入力された受信信号の内、ＢＳ／ＣＳ−ＩＦ信号は、この信号のみを選択的に通過させるハイパスフィルタ（以下、ハイパスフィルタをＨＰＦと記載する）２４を介して内部に取り込まれ、ビートキャンセラ２０内に形成されたＢＳ／ＣＳ−ＩＦ信号用の通過経路、及び、出力端子Ｔｏｕｔ側に設けられたＨＰＦ２６を介して、出力端子Ｔｏｕｔまで伝送されて、出力端子Ｔｏｕｔから端末側に出力される。
【００２８】
また、入力端子Ｔｉｎに入力された受信信号の内、ＶＨＦ受信信号及びＵＨＦ受信信号は、ＶＨＦ及びＵＨＦ帯の受信信号のみを選択的に通過させるローパスフィルタ（以下、ローパスフィルタをＬＰＦと記載する）２２を介して内部に取り込まれ、分配回路２８にて２分配される。そして、この分配回路２８にて分配された一方の受信信号（ＶＨＦ・ＵＨＦ信号）は、ビートキャンセラ２０内に形成されたＶＨＦ・ＵＨＦ信号用の通過経路を介して、出力端子Ｔｏｕｔ側の混合回路４２まで伝送される。
【００２９】
一方、分配回路２８にて分配された他方の受信信号は、ＵＨＦ選局部３０に入力される。このＵＨＦ選局部３０は、制御部５０から選局チャンネル制御信号によって指定されたＵＨＦ帯で所定放送チャンネルのテレビ放送信号を選局して、映像搬送波が所定周波数（例えば、５８．７５ＭＨｚ）となる映像中間周波信号（映像ＩＦ信号）と、音声搬送波がＮＴＳＣ方式で規定された所定周波数（４．５ＭＨｚ）となる音声中間周波信号（音声ＩＦ信号）とを出力する。なお、このＵＨＦ選局部３０は、本発明の選局手段に相当する。
【００３０】
そして、ＵＨＦ選局部３０から出力された映像ＩＦ信号は、直交検波部３２に入力され、この直交検波部３２にて、映像ＩＦ信号に含まれる映像搬送波を用いて直交検波される。また、この直交検波部３２で直交検波されたＩ信号とＱ信号とは、それぞれ、ビートキャンセル用のデジタル処理部３４に入力され、デジタル処理部３４にて、妨害波信号成分を除去したベースバンドの映像信号に変換される。
【００３１】
そして、この映像信号と、ＵＨＦ選局部３０から出力された音声ＩＦ信号とは、それぞれ、ＵＨＦ変調部３６に入力され、このＵＨＦ変調部３６にて、制御部５０から出力チャンネル制御信号によって指定された所定放送チャンネル（出力チャンネル）のＵＨＦ帯のテレビ放送信号に変換される。
【００３２】
なお、このＵＨＦ変調部３６は、本発明のテレビ放送信号生成手段に相当するものであるが、このテレビ放送信号生成手段としては、本実施例のＵＨＦ変調部３６のように、必ずしもＵＨＦ帯のテレビ放送信号を生成する必要はなく、ＶＨＦ帯のチャンネル或いはＣＡＴＶチャンネルのテレビ放送信号を生成するようにしてもよい。
【００３３】
次に、このＵＨＦ変調部３６にて生成されたテレビ放送信号は、ＵＨＦ帯のテレビ放送信号のみを選択的に通過させるバンドパスフィルタ（以下、バンドパスフィルタをＢＰＦと記載する）３８を介して、ゲインコントロール（ＧＣ）用のボリュームＶＲを備えた増幅部４０に入力され、この増幅部４０にて所定レベルまで増幅された後、混合回路４２に入力される。
【００３４】
この結果、混合回路４２では、ＶＨＦ・ＵＨＦ信号用の通過経路を通過したＶＨＦ・ＵＨＦ信号とＵＨＦ変調部３６で生成された所定出力チャンネルのテレビ放送信号とが混合されることになる。
【００３５】
そして、この混合回路４２にて混合されたＶＨＦ・ＵＨＦ信号は、増幅回路４４にて所定レベルまで更に増幅された後、ＶＨＦ及びＵＨＦ帯の受信信号のみを選択的に通過させるＬＰＦ４６を介して、出力端子Ｔｏｕｔまで伝送され、出力端子Ｔｏｕｔから、ＢＳ／ＣＳ−ＩＦ信号と一緒に端末側に出力される。
【００３６】
ここで、デジタル処理部３４と直交検波部３２とは、本発明の映像信号処理手段に相当するものであり、本実施例では、デジタル処理部３４において、Ｑ信号をデジタル処理することにより、Ｉ信号に含まれる妨害波信号成分を生成し、Ｉ信号からこの妨害波信号成分を除去する。
【００３７】
つまり、映像ＩＦ信号に含まれる希望波映像信号をＡ（ｔ）、その搬送波（映像搬送波）をｃｏｓ（ωｔ）とし、妨害波映像信号をＢ（ｔ）、その搬送波（映像搬送波）をｃｏｓ｛（ω＋δ）ｔ＋Φ｝とした場合、映像ＩＦ信号は、
映像ＩＦ信号＝Ａ（ｔ）ｃｏｓ（ωｔ）
＋Ｂ（ｔ）ｃｏｓ｛（ω＋δ）ｔ＋Φ｝
と記述でき、直交検波後のＩ信号及びＱ信号は、それぞれ、
Ｉ信号＝Ａ（ｔ）＋Ｂ（ｔ）ｃｏｓ（δｔ＋Φ）
Ｑ信号＝Ｂ（ｔ）ｓｉｎ（δｔ＋Φ）
となることから、デジタル処理部３４では、Ｑ信号をデジタル処理することにより、Ｉ信号に含まれる妨害波信号成分である「Ｂ（ｔ）ｃｏｓ（δｔ＋Φ）」を生成し、この妨害波信号成分をＩ信号から除去するのである。
【００３８】
具体的には、再生したテレビ画像からビートを除去するには、映像信号の低域成分（周波数：０〜数十ｋＨｚ）に関して妨害波信号成分を除去できれば充分であることから、デジタル処理部３４では、図３に示すように、まず、Ｑ信号をＡ／Ｄ変換部６０を介してデジタルデータとして取り込み、その取り込んだＱ信号を、ＬＰＦとして機能するフィルタ部６２にてフィルタ処理することにより、Ｑ信号の低域成分のみを抽出し、ビート成分生成部６４にて、その抽出したＱ信号の低域成分から、上記妨害波信号成分「Ｂ（ｔ）ｃｏｓ（δｔ＋Φ）」を生成する。
【００３９】
また、デジタル処理部３４では、Ｉ信号をＡ／Ｄ変換部６１を介してデジタルデータとして取り込み、その取り込んだＩ信号を、ＬＰＦとして機能するフィルタ部６３と、ＨＰＦとして機能するフィルタ部６７とを用いて、Ｉ信号の低域成分と高域成分とに分離する。
【００４０】
そして、ビート成分生成部６４から出力される妨害波信号成分は、ビート成分生成部６４の処理動作によって、各フィルタ部６３、６７を通過したＩ信号の低域成分及び高域成分よりも遅れることから、フィルタ部６３、６７を通過したＩ信号の低域成分及び高域成分を、ビート成分生成部６４で生成された妨害波信号成分と同期させるために、Ｉ信号の低域成分及び高域成分を、それぞれ、遅延処理部６５、６８で遅延処理する。
【００４１】
そして、最後に、減算処理部６６にて、遅延処理後のＩ信号の低域成分からビート成分生成部６４で生成された妨害波信号成分を減算する減算処理を行い、更に、その減算処理後のＩ信号の低域成分と遅延処理後のＩ信号の高域成分とを加算処理部６９にて加算処理することにより、妨害波信号成分を除去した映像信号（詳しくは映像データ）を生成し、これをＤ／Ａ変換部６９ａにてアナログの映像信号に変換した後、ＢＰＦ３８に出力する。
【００４２】
従って、デジタル処理部３４からは、オフセットビート障害の原因となる妨害波信号成分を除去した映像信号が出力されることになり、しかも、デジタル処理部３４では、直交検波後のＩ信号及びＱ信号を一旦デジタルデータに変換してデジタル処理することにより、妨害波信号成分を除去した映像信号を生成することから、周囲温度の影響を受けることなく、妨害波信号成分を除去した映像信号を安定して生成することができる。
【００４３】
次に、オフセットビートキャンセラ２０には、ＵＨＦ変調部３６が生成するテレビ放送信号の放送チャンネル（出力チャンネル）を外部操作によって設定できるようにするために、出力チャンネル設定部４８が設けられている。
【００４４】
そして、制御部５０は、マイクロコンピュータにて構成されており、この出力チャンネル設定部４８から入力される出力チャンネルの設定指令に従い、ＵＨＦ変調部３６がテレビ放送信号を生成する際の放送チャンネル（出力チャンネル）を制御する。
【００４５】
また、ＵＨＦ選局部３０の選局チャンネルは、予めＥＥＰＲＯＭ５２に記憶されており、制御部５０は、ＵＨＦ選局部３０の選局チャンネルを、このＥＥＰＲＯＭ５２に記憶された選局チャンネルに固定する。
【００４６】
なお、オフセットビートキャンセラ２０には、図示しないＤＣアダプタ等から例えば直流１５Ｖの直流電源を供給するための電源入力端子Ｔｄｃが設けられており、上述した各内部回路には、この電源入力端子Ｔｄｃに供給された直流電源から上述した内部回路を動作させるための各種電源電圧を生成する電源部５６を介して、動作用の電源電圧を供給するようにされている。
【００４７】
ところで、本実施例のオフセットビートキャンセラ２０においては、デジタル処理部３４において、直交検波部３２で得られたＱ信号をデジタル処理することによって、映像信号に含まれる妨害波信号成分を生成し、これをＩ信号から除去するようにしているので、妨害波信号成分をアナログフィルタを用いて生成する従来のオフセットビートキャンセラに比べて、周囲温度の影響を受けることなく妨害波信号成分を除去することができるようになるのであるが、直交検波部３２で映像ＩＦ信号を直交検波する際に用いられる搬送波の映像ＩＦ信号に対する位相が正規の位相からずれてしまうと、映像ＩＦ信号の直交検波を正確に行うことができず、最終的には、妨害波信号成分の除去特性が低下してしまうという問題がある。
【００４８】
そこで、本実施例のオフセットビートキャンセラ２０においては、直交検波部３２を図４に示す如く構成し、映像ＩＦ信号の直交検波を常時最適に実行できるようにしている。
即ち、図４に示すように、本実施例の直交検波部３２は、ＵＨＦ選局部３０から出力された映像ＩＦ信号を２分配する分配回路７０と、この分配回路７０にて分配された一方の映像ＩＦ信号を増幅する増幅回路７１と、増幅回路７１により増幅された映像ＩＦ信号を更に２分配する分配回路７２と、この分配回路７２にて分配された一方の映像ＩＦ信号の位相を９０度（π／２）移相させる移相器７４と、分配回路７２にて分配された他方の映像ＩＦ信号の位相が、移相器７４を通過した映像ＩＦ信号に対して全周波数領域で９０度ずれるように、その他方の映像ＩＦ信号を移相器７４の動作特性に応じて遅延させる遅延線７３と、遅延線７３及び移相器７４をそれぞれ通過した映像ＩＦ信号と後述の搬送波再生部７７で再生された映像搬送波とをそれぞれ混合する一対のミキサ７５及び７６と、を備える。
【００４９】
また、直交検波部３２には、初段の分配回路７０にて分配された他方の映像ＩＦ信号から映像搬送波を再生する搬送波再生部７７と、この搬送波再生部７７にて再生された映像搬送波を移相させる可変移相器７８と、この可変移相器７８を通過した映像搬送波を２分配して、上記各ミキサ７５、７６に出力する分配回路７９とが備えられている。
【００５０】
ここで、ミキサ７５、７６は、遅延線７３及び移相器７４をそれぞれ通過した映像ＩＦ信号と分配回路７９から入力される映像搬送波とをそれぞれ混合することにより、映像ＩＦ信号を直交検波するためのものである。つまり、ミキサ７５は、遅延線７３を通過した映像ＩＦ信号とこれと同相の映像搬送波とを混合することによりＩ信号を生成し、ミキサ７６は、移相器７４を通過した映像ＩＦ信号とこれよりも位相が９０度（π／２）進んだ映像搬送波とを混合することによりＱ信号を生成する。
【００５１】
そして、これら各ミキサ７５、７６にて生成された同期検波後のＩ信号及びＱ信号は、それぞれ、その信号成分を選択的に通過させるＬＰＦ８１、８２を介して、増幅回路８３、８４に入力され、増幅回路８３、８４にて所定レベルまで増幅された後、デジタル処理部３４に出力される。
【００５２】
また、本実施例の直交検波部３２には、増幅回路８４から出力されるＱ信号を取り込み、そのＱ信号の電圧（詳しくは平均電圧）が略零となるように、可変移相器７８における映像搬送波の移相量を制御することにより、各ミキサ７５、７６に入力される映像搬送波の位相を調整する位相調整部８０が設けられている。
【００５３】
この結果、本実施例の直交検波部３２では、この位相調整部８０の動作によって、ミキサ７５、７６に入力される映像ＩＦ信号と映像搬送波とが同相若しくは９０度の位相差となるように正確に制御されることになり、搬送波再生部７７にて再生された映像搬送波を用いて映像ＩＦ信号を正確に直交検波できるようになる。
【００５４】
従って、本実施例のオフセットビートキャンセラ２０によれば、デジタル処理部３４において、直交検波部３２で得られたＱ信号を用いて、映像ＩＦ信号に含まれる妨害波信号成分を正確に生成して、この妨害波信号成分をＩ信号から除去することにより、妨害波信号成分のない映像信号を正確に復元することが可能となる。
【００５５】
なお、本実施例において、直交検波部３２は本発明の直交検波回路に相当する。また、直交検波部３２において映像ＩＦ信号を直交検波するのに用いられる遅延線７３とミキサ７５、及び、移相器７４とミキサ７６は、それぞれ、本発明（詳しくは請求項２に記載）の第１検波部及び第２検波部に相当する。
【００５６】
以上、本発明の一実施例について説明したが、本発明は上記実施例に限定されるものではなく、種々の態様を採ることができる。
例えば、上記実施例の直交検波部３２においては、ミキサ７５にてＩ信号を生成し、ミキサ７６にてＱ信号を生成するために、各ミキサ７５、７６への映像ＩＦ信号の入力経路に、遅延線７３及び移相器７４を設けるものとして説明したが、図５に示すように、ミキサ７６への映像搬送波の入力経路に移相器７４を設けるようにすれば、各ミキサ７５、７６への映像ＩＦ信号の入力経路に遅延線７３及び移相器７４を設けることなく、各ミキサ７５にてＩ信号を生成させ、ミキサ７６にてＱ信号を生成させることができる。
【００５７】
また、上記実施例では、デジタル処理部３４において、Ｉ信号を低域成分と高域成分とに分離するものとして説明したが、Ｉ信号は必ずしも分離する必要はなく、単にＡ／Ｄ変換部６１でＡ／Ｄ変換したＩ信号をそのまま遅延処理部で遅延させて、そのＩ信号から妨害波信号成分を除去するようにしてもよい。
【００５８】
また、上記実施例では、妨害波信号成分を除去するためにデジタル処理部３４を用いるものとして説明したが、上述した従来装置のように、映像ＩＦ信号を直交検波することにより得られるＱ信号からアナログフィルタを用いて妨害波信号成分を生成し、この妨害波信号成分を映像ＩＦ信号に対応した周波数にアップコンバートして、そのアップコンバート後の妨害波信号成分を映像ＩＦ信号から除去するようにしてもよい。但し、この場合には、オフセットビートキャンセラの特性が変化することのないよう、オフセットビートキャンセラを、温度変化が小さい環境下で使用する必要はある。
【００５９】
また更に、上記実施例では、オフセットビートキャンセラに本発明を適用した場合について説明したが、本発明は、オフセットビートキャンセラに用いられる直交検波回路に限らず、受信信号から再生した搬送波を用いて受信信号を直交検波する直交検波回路であれば、上記実施例と同様に適用して、同様の効果を得ることができる。
【図面の簡単な説明】
【００６０】
【図１】実施例のテレビ放送受信システム全体の構成を表す概略構成図である。
【図２】図１に示すオフセットビートキャンセラの構成を表すブロック図である。
【図３】図２に示すデジタル処理部の構成を表すブロック図である。
【図４】図２に示す直交検波部の構成を表すブロック図である。
【図５】図２に示す直交検波部の他の構成例を表すブロック図である。
【符号の説明】
【００６１】
２…ＶＨＦアンテナ、４…ＵＨＦアンテナ、６…ＢＳ／ＣＳアンテナ、８…ブースタ、１０…分配器、１２…直列ユニット、２０…オフセットビートキャンセラ、２２，４６，８１，８２…ＬＰＦ、２４，２６…ＨＰＦ、２８…分配回路、３０…ＵＨＦ選局部、３２…直交検波部、３４…デジタル処理部、３６…ＵＨＦ変調部、３８…ＢＰＦ、４０…増幅部、４２…混合回路、４４，８３，８４…増幅回路、４８…出力チャンネル設定部、５０…制御部、５２…ＥＥＰＲＯＭ、５６…電源部、６０，６１…Ａ／Ｄ変換部、６２，６３，６７…フィルタ部、６４…ビート成分生成部、６５，６８…遅延処理部、６６…減算処理部、６９…加算処理部、６９ａ…Ｄ／Ａ変換部、７０，７２，７９…分配回路、７１…増幅回路、７３…遅延線、７４…移相器、７５，７６…ミキサ、７７…搬送波再生部、７８…可変移相器、８０…位相調整部、Ｔｄｃ…電源入力端子、Ｔｉｎ…入力端子、Ｔｏｕｔ…出力端子、ＶＲ…ボリューム。
【図１】
2004304756.tif 000003
【図２】
2004304756.tif 000004
【図３】
2004304756.tif 000005
【図４】
2004304756.tif 000006
【図５】
2004304756.tif 000007